(57)【要約】【課題】排尿が繰り返し行われた場合においても、後漏れを効果的に防止でき、かつ、着用感を良好に維持できる、吸収性物品を提供する。【解決手段】後部ｃにおいて、トップシート２０側から身体側に、液透過性の第一の開口形成シート５０と液透過性の第二の開口形成シート６０が順に設けられ、第二の開口形成シート６０の前方向端部が、第一の開口形成シート５０の前方向端部よりも後方向に位置し、前方向に開口を有するポケット状の第一の空間及び第二の空間がそれぞれ形成されており、左右一対の第一のスリット８０及び第一のチャネルエンボス９０が設けられた吸収性物品１を提供する。【選択図】図１
2019205549.tif 000002
【特許請求の範囲】
【請求項１】
液透過性のトップシートと、液不透過性のバックシートと、前記トップシート及び前記バックシートの間に配置された吸収体と、を有する吸収性物品であって、
前記吸収性物品は、長手方向において、前部、股下部、後部に略三等分に区分され、
前記後部において、前記トップシート側から身体側に、液透過性の第一の開口形成シートと液透過性の第二の開口形成シートが順に設けられ、
前記第二の開口形成シートの前方向端部が、前記第一の開口形成シートの前方向端部よりも後方向に位置し、
前記第二の開口形成シートの後方向端部は、前記第一の開口形成シートの後方向端部よりも後方向外側で前記第一の開口形成シートと隣接しており、前記第二の開口形成シートの幅方向両端部は、前記第一の開口形成シートの幅方向両端部よりも幅方向外側で前記第一の開口形成シートと隣接しており、
前記第一の開口形成シートの、幅方向両端部及び後方向端部が前記トップシートに接合し、前方向端部が前記トップシートに接合しないことにより、前方向に開口を有するポケット状の第一の空間が、前記第一の開口形成シートと前記トップシートの間に、形成されており、
前記第二の開口形成シートの、幅方向両端部及び後方向端部が前記トップシートに接合し、前方向端部が前記トップシート及び前記第一の開口形成シートに接合しないことにより、前方向に開口を有するポケット状の第二の空間が、前記第二の開口形成シートと前記第一の開口形成シートの間に、形成されており、
前記吸収体には、平面視において、前記第一の開口形成シートの前方向の外側から、前記第一の空間又は前記第二の空間が設けられる領域にかけて、長手方向に略直線状に形成された左右一対の第一のスリットが設けられており、
平面視において、前記第一の開口形成シートの前方向の外側から、前記第一の空間又は前記第二の空間が設けられる領域にかけて、長手方向に伸びる左右一対の第一のチャネルエンボスが、前記トップシートから前記吸収体に至るまで設けられており、
一対の前記第一のチャネルエンボスは、それぞれ、幅方向内側に凸となる略円弧形状である、吸収性物品。
【請求項２】
前記第一の開口形成シートの、幅方向の寸法が２０ｍｍ以上３９０ｍｍ以下であり、長手方向の寸法が２０ｍｍ以上３００ｍｍ以下である、請求項１に記載の吸収性物品。
【請求項３】
前記第二の開口形成シートの、幅方向の寸法が２０ｍｍ以上３９０ｍｍ以下であり、長手方向の寸法が１０ｍｍ以上２９０ｍｍ以下である、請求項１又は２に記載の吸収性物品。
【請求項４】
前記第一のスリットの深さが、吸収体の厚みに対して５０％以上であり、前記第一のスリットの幅方向の寸法が５ｍｍ以上５０ｍｍ以下であり、長手方向の寸法が５０ｍｍ以上６００ｍｍ以下である、請求項１から３のいずれかに記載の吸収性物品。
【請求項５】
平面視において、前記第一の開口形成シートの前方向の外側から、前記第一の空間又は前記第二の空間が設けられる領域にかけて、前記吸収体には、一対の前記第一のスリット同士の間の中央部に、長手方向に伸びる１本の第二のスリットが設けられている、請求項１から４のいずれかに記載の吸収性物品。
【請求項６】
平面視において、前記第一の開口形成シートの前方向の外側から、前記第一の空間又は前記第二の空間が設けられる領域にかけて、幅方向に延在する第二のチャネルエンボスが設けられており、
前記第二のチャネルエンボスは、後方向に凸となる略円弧状である、請求項１から５のいずれかに記載の吸収性物品。
【請求項７】
前記第一の開口形成シートと前記第二の開口形成シートが、エアスルー不織布で構成される、請求項１から６のいずれかに記載の吸収性物品。
【発明の詳細な説明】
【技術分野】
【０００１】
本発明は、後漏れを効果的に防止できる吸収性物品に関する。
【背景技術】
【０００２】
一般的に大人用紙おむつには、テープ止めタイプ、パンツタイプ等があり、これらの紙おむつは使用者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ところで、テープ止めタイプやパンツタイプの紙おむつ（以下、紙おむつと称する）は、それ自体を単独で使用する場合と、その内側に尿取りパッドを併用する場合があるが、現在は、尿取りパッドと併用し、尿取りパッドを、紙おむつのトップシート上に重ねて使用する場合がほとんどである。これは、紙おむつ１枚当たりのコストが高いためで、紙おむつに比して安価な尿取りパッドで排泄物を吸収して保持した後、尿取りパッドのみを交換することで、排泄後においても、よりコストの高い紙おむつを交換せずに済み、経済的に低いコストで吸収性物品を使用できるためである。
【０００４】
近年、尿取りパッドのなかには、尿の吸収量を増加させるために、幅広で股下部分に括れを有するいわゆるワイドタイプの製品が上市されている。これらワイドタイプの尿取りパッドは、比較的長時間の使用が想定されるものであるため、複数回にわたり排尿が行われた場合にも漏れない性質が求められる。
【０００５】
ここで、排泄された尿を吸収体に透過させるトップシートには、一般的に液透過性を向上させるために親水化剤により親水化処理が施されているが、排尿が繰り返し行われると、親水化剤が脱落することで液透過性が低下し、吸収性物品の後側（背側）から尿が漏れる、いわゆる後漏れが発生する場合があり、以下のように、後漏れを防止するための検討がなされている。
【０００６】
後漏れを防止について検討された吸収性物品として、特許文献１には、吸収性物品の前側部及び／又は後側部分において、トップシートの上面側に体液排出部側に開口するポケット空間を形成するためのポケットシートが設けられ、かつポケットシートに対しポケット空間を開口させるための開口用弾性伸縮部材を設けたことを特徴とする吸収性物品が開示されている。
【０００７】
また、特許文献２には、吸収性物品の前方側吸収体上面部分に、平面視で、吸収性物品の前端側に膨出する湾曲線からなる第１曲線と、この第１曲線よりも前端側に位置し、吸収性物品の前端側に膨出する湾曲線からなるとともに、両端部が第１曲線の両端部に夫々接合された第２曲線とにより区画された閉領域部分を上面側から窪ませて凹面状の前方側体液貯留部を形成してあることを特徴とする吸収性物品が開示されている。
【先行技術文献】
【特許文献】
【０００８】
【特許文献１】特開２００７−１４３６９６号公報
【特許文献２】特開２００６−２１８３１７号公報
【発明の概要】
【発明が解決しようとする課題】
【０００９】
しかしながら、特許文献１及び特許文献２に記載の吸収性物品においても、繰り返し排尿された場合においては、十分に後漏れを防止することができず、また、トップシートの液透過性の低下に伴う吸収速度の低下により着用感が悪化する場合があった。したがって、本発明は以上の課題に鑑みてなされたものであり、排尿が繰り返し行われた場合においても、後漏れを効果的に防止でき、かつ、着用感を良好に維持できる、吸収性物品を提供することを目的とする。
【課題を解決するための手段】
【００１０】
本発明の発明者は、上記課題に鑑み、鋭意研究を行った。その結果、前方向にポケット状の空間を形成する２枚の開口形成シートと、所定のスリットと、所定のチャネルエンボスと、を設けることにより、上記課題を解決できることを見出し、本発明を完成するに至った。具体的には、本発明は以下のものを提供する。
【００１１】
（１）本発明の第１の態様は、液透過性のトップシートと、液不透過性のバックシートと、前記トップシート及び前記バックシートの間に配置された吸収体と、を有する吸収性物品であって、前記吸収性物品は、長手方向において、前部、股下部、後部に略三等分に区分され、前記後部において、前記トップシート側から身体側に、液透過性の第一の開口形成シートと液透過性の第二の開口形成シートが順に設けられ、前記第二の開口形成シートの前方向端部が、前記第一の開口形成シートの前方向端部よりも後方向に位置し、前記第二の開口形成シートの後方向端部は、前記第一の開口形成シートの後方向端部よりも後方向外側で前記第一の開口形成シートと隣接しており、前記第二の開口形成シートの幅方向両端部は、前記第一の開口形成シートの幅方向両端部よりも幅方向外側で前記第一の開口形成シートと隣接しており、前記第一の開口形成シートの、幅方向両端部及び後方向端部が前記トップシートに接合し、前方向端部が前記トップシートに接合しないことにより、前方向に開口を有するポケット状の第一の空間が、前記第一の開口形成シートと前記トップシートの間に、形成されており、前記第二の開口形成シートの、幅方向両端部及び後方向端部が前記トップシートに接合し、前方向端部が前記トップシート及び前記第一の開口形成シートに接合しないことにより、前方向に開口を有するポケット状の第二の空間が、前記第二の開口形成シートと前記第一の開口形成シートの間に、形成されており、前記吸収体には、平面視において、前記第一の開口形成シートの前方向の外側から、前記第一の空間又は前記第二の空間が設けられる領域にかけて、長手方向に略直線状に形成された左右一対の第一のスリットが設けられており、平面視において、前記第一の開口形成シートの前方向の外側から、前記第一の空間又は前記第二の空間が設けられる領域にかけて、長手方向に伸びる左右一対の第一のチャネルエンボスが、前記トップシートから前記吸収体に至るまで設けられており、一対の前記第一のチャネルエンボスは、それぞれ、幅方向内側に凸となる略円弧形状である、吸収性物品。
【００１２】
（２）本発明の第２の態様は、（１）に記載の吸収性物品であって、前記第一の開口形成シートの、幅方向の寸法が２０ｍｍ以上３９０ｍｍ以下であり、長手方向の寸法が２０ｍｍ以上３００ｍｍ以下であることを特徴とするものである。
【００１３】
（３）本発明の第３の態様は、（１）又は（２）に記載の吸収性物品であって、前記第二の開口形成シートの、幅方向の寸法が２０ｍｍ以上３９０ｍｍ以下であり、長手方向の寸法が１０ｍｍ以上２９０ｍｍ以下であることを特徴とするものである。
【００１４】
（４）本発明の第４の態様は、（１）から（３）のいずれかに記載の吸収性物品であって、前記第一のスリットの深さが、吸収体の厚みに対して５０％以上であり、前記第一のスリットの幅方向の寸法が５ｍｍ以上５０ｍｍ以下であり、長手方向の寸法が５０ｍｍ以上６００ｍｍ以下であることを特徴とするものである。
【００１５】
（５）本発明の第５の態様は、（１）から（４）のいずれかに記載の吸収性物品であって、平面視において、前記第一の開口形成シートの前方向の外側から、前記第一の空間又は前記第二の空間が設けられる領域にかけて、前記吸収体には、一対の前記第一のスリット同士の間の中央部に、長手方向に伸びる１本の第二のスリットが設けられていることを特徴とするものである。
【００１６】
（６）本発明の第６の態様は、（１）から（５）のいずれかに記載の吸収性物品であって、平面視において、前記第一の開口形成シートの前方向の外側から、前記第一の空間又は前記第二の空間が設けられる領域にかけて、幅方向に延在する第二のチャネルエンボスが設けられており、前記第二のチャネルエンボスは、後方向に凸となる略円弧状であることを特徴とするものである。
【００１７】
（７）本発明の第７の態様は、（１）から（６）のいずれかに記載の吸収性物品であって、前記第一の開口形成シートと前記第二の開口形成シートが、エアスルー不織布で構成されることを特徴するものである。
【発明の効果】
【００１８】
本発明によれば、排尿が繰り返し行われた場合においても、後漏れを効果的に防止でき、かつ、着用感の良好な吸収性物品を提供することができる。
【図面の簡単な説明】
【００１９】
【図１】本発明の吸収性物品の平面図である。
【図２】図１のＹ1−Ｙ１断面図である。
【図３】本発明の吸収性物品の平面図である。
【図４】本発明の吸収性物品の平面図である。
【発明を実施するための形態】
【００２０】
以下、添付図面を参照して、本発明を実施するための形態について、詳細に説明する。なお、本発明の実施形態の説明の全体を通して、同じ要素には同じ符号を付している。
【００２１】
本明細書の説明において、吸収性物品１の着用時とは、吸収性物品１の装着時及び装着後の少なくとも一方をいう。吸収性物品１の長手方向とは、着用されたときに着用者の前後にわたる方向であり、図中Ｙで表す方向である。一方、吸収性物品１の幅方向とは、長手方向に対して横又は直交する方向であり、図中Ｘで表す方向である。
本発明の吸収性物品１は図１に示すように、長手方向において、前部ａ、股下部ｂ、後部ｃに略三等分に区分され、前部ａは着用時に着用者の腹側に配され、後部ｃは着用時に着用者の後側（背側）に配され、股下部ｂは前部ａと後部ｃの間に位置する。さらに、身体側表面とは、吸収体３０等の各部材の表裏両面のうち、着用時に着用者の肌側に配される面であり、衣類側表面とは、吸収体３０等の各部材の表裏両面のうち、着用時に着用者の肌側とは反対側に向けられる面である。
【００２２】
＜吸収性物品＞
図１は、本発明の吸収性物品１の平面図であり、図２は、図１のＹ１−Ｙ１断面図である。本発明の吸収性物品１は、図１及び図２に示すように、液透過性のトップシート２０と、液不透過性のバックシート４０と、トップシート２０及びバックシート４０の間に配置された吸収体３０と、を有する。本発明の吸収性物品１は、尿取りパッドのように、アウターとなる紙おむつ等の吸収性物品のトップシート上に重ねて用いることができるため、低コスト化を実現することができる。
【００２３】
また、吸収性物品１の形状は、特に限定されず略長方形状であってもよいが、図１に示すような長手方向の略中央領域に括れを有する略砂時計形状を有していることが好ましい。吸収性物品１が略砂時計形状を有していることにより、着用時の股下におけるフィット性が向上し、尿漏れを良好に抑制することができる。吸収性物品１の長手方向の寸法は、２００ｍｍ以上１０００ｍｍ以下であり、幅方向の寸法は、５０ｍｍ以上５００ｍｍ以下であることが好ましい。吸収性物品１の長手方向及び幅方向の寸法をこのような範囲にすることにより、アウターとなる紙おむつ等の吸収性物品と重ねて使用する場合に、アウターとなる吸収性物品の態様、大きさ、形状に合わせて、尿漏れを適切に防止できる吸収性物品１を提供することができる。
【００２４】
［第一の開口形成シートと第二の開口形成シート］
本発明の吸収性物品1は、図１及び図２に示すように、後部ｃにおいて、トップシート２０側から身体側に、液透過性の第一の開口形成シート５０と液透過性の第二の開口形成シート６０が順に設けられ、第二の開口形成シート６０の前方向端部が、第一の開口形成シート５０の前方向端部よりも後方向に位置し、第二の開口形成シート６０の後方向端部は、第一の開口形成シート５０の後方向端部よりも後方向外側で第一の開口形成シート５０と隣接しており、第二の開口形成シート６０の幅方向両端部は、第一の開口形成シート５０の幅方向両端部よりも幅方向外側で第一の開口形成シート５０と隣接している。そして、第一の開口形成シート５０の、幅方向両端部及び後方向端部がトップシート２０に接合し、前方向端部がトップシート２０に接合しないことにより、前方向に開口を有するポケット状の第一の空間５１が、第一の開口形成シート５０とトップシート２０の間に、形成されており、第二の開口形成シート６０の、幅方向両端部及び後方向端部がトップシート２０に接合し、前方向端部がトップシート２０及び第一の開口形成シート５０に接合しないことにより、前方向に開口を有するポケット状の第二の空間６１が、第二の開口形成シート６０と第一の開口形成シート５０の間に、形成されている。
【００２５】
ここで、排泄された尿を吸収体３０に透過させるトップシート２０には、一般的に液透過性を向上させるために親水化剤により親水化処理が施されているが、排尿が繰り返し行われると、親水化剤が脱落することで液透過性が低下し、吸収性物品1の後側（背側）から尿が漏れる、いわゆる後漏れが発生しやすくなる。本発明では、上記のように、第一の開口形成シート５０と第二の開口形成シート６０により、トップシート２０側から順に前方向に開口するポケット状の第一の空間５１と第二の空間６１という二つの空間を設けることにより、繰り返し吸収により液透過性が低下したトップシート２０の身体側表面から後方向に伝わる尿が原因となる後漏れを効果的に防止することができ、併せて水分含量の多い軟便（下痢便、水様便等）の後漏れも効果的に防止することができる。
【００２６】
より具体的には、第一の空間５１に流入した尿は、一時的に第一の空間５１内に留められつつ、速やかにトップシート２０を介して吸収体３０に移行する。また、第二の空間６１に流入した尿は、一時的に第二の空間６１内に留められつつ、第二の開口形成シート６０を介して第一の空間５１に移行する。仮に、第一の空間５１のみを設けた場合には、第一の空間５１に流入できる尿の量は限られ、また、第一の空間５１の体積を大きくすると尿が第一の空間５１内に留まる時間が長くなり、第一の開口形成シート５０の後方向端部を尿が透過して、後漏れが発生するおそれがある。しかし、本発明では、第一の空間５１に加えて第二の空間６１を設けることにより、一時的に各空間に留める尿を分散させることができ、かつ、空間の全体量を大きくすることができるため、総合的に後漏れを防止できる。
【００２７】
また、第二の開口形成シート６０の前方向端部が、第一の開口形成シート５０の前方向端部よりも後方向に位置することにより、第二の空間６１に尿が流入しやすくなり、効果的に後漏れを防止することができる。
【００２８】
上記のとおり、第二の開口形成シート６０の後方向端部は、第一の開口形成シート５０の後方向端部よりも後方向外側で第一の開口形成シート５０と隣接しており、第二の開口形成シート６０の幅方向両端部は、第一の開口形成シート５０の幅方向両端部よりも幅方向外側で第一の開口形成シート５０と隣接している。第一の空間５１及び第二の空間６１を形成した状態における第一の開口形成シート５０の長手方向の寸法は、２０ｍｍ以上３００ｍｍ以下であることが好ましく、第二の開口形成シート６０の長手方向の寸法は、１０ｍｍ以上２９０ｍｍ以下であることが好ましい。また、第一の空間５１及び第二の空間６１を形成した状態における、第一の開口形成シート５０及び第二の開口形成シート６０の幅方向の寸法は、２０ｍｍ以上３９０ｍｍ以下であることが好ましい。
【００２９】
さらに、平面視において、第一の開口形成シート５０と第二の開口形成シート６０の幅方向一端部から、吸収体３０の幅方向一端部までの距離と、第一の開口形成シート５０と第二の開口形成シート６０の幅方向他端部から、吸収体３０の幅方向他端部までの距離と、は等しいことが好ましい。また、吸収性を向上させるために、平面視において、第一の開口形成シート５０と第二の開口形成シート６０の後方向端部は、吸収体３０の後方向端部よりも前方向に位置することが好ましい。
【００３０】
第一の開口形成シート５０と第二の開口形成シート６０は、液透過性を有するために、親水性不織布、開孔ポリエチレンフィルム等の開孔性フィルム、ウレタンフォーム等の発泡フィルム又はこれらを積層した複合シートから形成される。なお、トップシート２０は、単層であっても、複数層積層していてもよく、ドライタッチ性を付与するために多数の透孔が形成されていてもよい。
【００３１】
また、上記のような性質を有する親水性不織布としては、ポリプロピレンやポリエチレン等の合成繊維や、レーヨン等の再生繊維、綿等の天然繊維を用いて、エアスルー法、サーマルボンド法のほか、スパンレース法やスパンボンド法等の公知の加工法によって得られたものを用いることができるが、液透過性及び肌触りに優れるエアスルー不織布を用いることが好ましい。
【００３２】
第一の開口形成シート５０及び第二の開口形成シート６０の坪量は、加工性及び強度の点から、１５ｇ／ｍ２以上２００ｇ／ｍ２以下であることが好ましい。
【００３３】
［トップシート］
トップシート２０は、吸収体３０に向けて尿を速やかに通過させるものであり、吸収体３０を挟んで、バックシート４０に対向して配置される。トップシート２０は、肌と当接するシートとなることから、柔らかな感触で、肌に刺激を与えないような性質を有する、親水性不織布、開孔ポリエチレンフィルム等の開孔性フィルム、ウレタンフォーム等の発泡フィルム又はこれらを積層した複合シートから形成される。なお、トップシート２０は、単層であっても、複数層積層していてもよく、ドライタッチ性を付与するために多数の透孔が形成されていてもよい。
【００３４】
また、上記のような性質を有する親水性不織布としては、ポリプロピレンやポリエチレン等の合成繊維や、レーヨン等の再生繊維、綿等の天然繊維を用いて、エアスルー法、サーマルボンド法のほか、スパンレース法やスパンボンド法等の公知の加工法によって得られたものを用いることができる。
【００３５】
トップシート２０の坪量は、加工性及び強度の点から、１５ｇ／ｍ２以上２００ｇ／ｍ２以下であることが好ましい。トップシート２０には、肌への刺激を低減させるために、ローション、酸化防止剤、抗炎症成分、ｐＨ調整剤、抗菌剤、保湿剤等を適用してもよい。
【００３６】
［バックシート］
バックシート４０には、液不透過性であり、かつ、遮水性を有するシート材が用いられるが、ムレ防止のために透湿性を有していてもよい。このような特性を有するバックシート４０の材料としては、例えば、ポリエチレンシートやポリエチレンラミネート不織布等の厚みの薄いプラスチックシートを挙げることができる。また、バックシート４０の坪量は、加工性及び強度の点から、１５ｇ／ｍ２以上４０ｇ／ｍ２以下であることが好ましい。
【００３７】
バックシート４０の衣類側表面には、装着時のズレを防止するための固定部材を設けていてもよい。固定部材の基材としては、特に限定されないが、メカニカルフックテープ又は粘着剤であることが好ましい。また、固定部材を保護するための剥離シートを有していてもよい。
【００３８】
［吸収体］
吸収体３０は、吸収性繊維と、高吸収性ポリマー（Ｓｕｐｅｒ  Ａｂｓｏｒｂｅｎｔ
Ｐｏｌｙｍｅｒ、ＳＡＰとも称される）と、を含有する。吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティッシュ、吸収紙等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。吸収体３０の吸収性繊維量は、吸収性能及び肌触りを損なわないよう、１００ｇ／ｍ２以上８００ｇ／ｍ２以下の坪量とすることが好ましい。
【００３９】
吸収体３０の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。吸収体３０の高吸収性ポリマーの量は、吸収性能及び肌触りを損なわないよう、５０ｇ／ｍ２以上５００ｇ／ｍ２以下の坪量とすることが好ましい。また、吸収速度及び吸収量の観点から、吸収体３０の重量に対する高吸収性ポリマーの重量は、１５質量％以上５０質量％以下であることが好ましい。
【００４０】
吸収体３０において、吸収性繊維及び高吸収性ポリマーの形態は、吸収性繊維中に高吸収性ポリマーの粒子を混合して形成したもの、あるいは、吸収性繊維間に高吸収性ポリマーの粒子を固着した高吸収性シートとしたものであることが好ましい。また、高吸収性ポリマーの粒子の漏洩防止や吸収体３０の形状の安定化の目的から、吸収体３０をキャリアシートに包むことが好ましい。キャリアシートの基材としては親水性を有するものであればよく、ティッシュ、吸収紙、エアレイド不織布等の親水性不織布を挙げることができる。キャリアシートを複数備える場合は、キャリアシートの基材は同一のものであっても異なるものであってもよい。
【００４１】
なお、尿を適切に吸収できるように、吸収体３０の、長手方向の寸法は１５０ｍｍ以上９５０ｍｍ以下であり、幅方向の寸法は３０ｍｍ以上４８０ｍｍ以下であり、厚みは２ｍｍ以上２０ｍｍ以下であることが好ましい。
【００４２】
（スリット）
図１に示すように吸収体３０には、平面視において、第一の開口形成シート５０の前方向の外側から、第一の空間５１又は第二の空間６１が設けられる領域にかけて、長手方向に略直線状に形成された左右一対の第一のスリット８０が設けられている。上記のとおり、繰り返し排尿がなされた場合に後漏れを防止するためには、第一の空間５１に流入した尿を速やかに吸収体３０に移行させる必要がある。したがって、吸収体３０に左右一対の第一のスリット８０を設けることにより、吸収体３０内部における液拡散性が向上することで吸収体３０の吸収速度が向上し、繰り返し排尿がなされた場合においても後漏れを防止することができる。また、吸収速度が向上することにより、着用感の低下を抑制することができる。
【００４３】
吸収体３０の吸収速度を向上させ、繰り返し排尿がなされた場合における後漏れを防止するために、第一のスリット８０の深さは、吸収体３０の厚みに対して５０％以上１００％以下であり、第一のスリット８０の、幅方向の寸法が５ｍｍ以上５０ｍｍ以下であり、長手方向の寸法が５０ｍｍ以上６００ｍｍ以下であることが好ましい。第一のスリット８０の深さが吸収体３０の厚みに対して１００％である場合には、第一のスリット８０は吸収体３０を貫通している。
また、第一の開口シート５０、第二の開口シート６０及び第一のスリット８０のそれぞれの上記の機能を効果的に発揮させ、繰り返し排尿がなされた場合における後漏れ及び着用感の低下を抑制するために、第一の開口形成シート５０の後方向端部と第一のスリット８０との離間距離は、０ｍｍ以上１００ｍｍ以下であることが好ましい。
また、吸収体３０内部における液拡散性をより向上させるために、左右一対の第一のスリット８０同士の幅方向の離間距離は、２０ｍｍ以上２００ｍｍ以下であることが好ましい。
【００４４】
図３に示すように、吸収体３０の吸収速度を更に向上させることでより効果的に後漏れを防止するために、平面視において、第一の開口形成シート５０の前方向の外側から、第一の空間５１又は第二の空間６１が設けられる領域にかけて、吸収体３０には、一対の第一のスリット８０同士の間の中央部に、長手方向に伸びる１本の第二のスリット８１が更に設けられていることが好ましい。第二のスリット８１の深さは、吸収体３０の厚みに対して５０％以上１００％以下であり、第二のスリット８１の、幅方向の寸法が５ｍｍ以上５０ｍｍ以下であり、長手方向の寸法が５０ｍｍ以上６００ｍｍ以下であることが好ましい。
【００４５】
（チャネルエンボス）
平面視において、第一の開口形成シート５０の前方向の外側から、第一の空間５１又は第二の空間６１が設けられる領域にかけて、長手方向に伸びる左右一対の第一のチャネルエンボス９０が、トップシート２０から吸収体３０に至るまで設けられており、一対の第一のチャネルエンボス９０は、尿を長手方向及び幅方向に効率的に拡散及び誘導させるために、それぞれ、幅方向内側に凸となる略円弧形状であることが好ましい。
左右一対の第一のチャネルエンボス９０が設けられることにより、第一の空間５１の高さを大きくすることができ、かつ、トップシート２０の表面における液拡散性及び吸収体３０内部における液拡散性が向上することで吸収速度が向上し、繰り返し排尿がなされた場合においても後漏れを防止することができる。また、吸収速度が向上することにより、着用感の低下を抑制することができる。
【００４６】
また、第一の開口シート５０、第二の開口シート６０及び第一のチャネルエンボス９０のそれぞれの上記の機能を効果的に発揮させ、繰り返し排尿がなされた場合における後漏れ及び着用感の低下を抑制するために、第一の開口形成シート５０の後方向端部と第一のチャネルエンボス９０との離間距離は、０ｍｍ以上１００ｍｍ以下であることが好ましい。
【００４７】
さらに、図４に示すように、平面視において、第一の開口形成シート５０の前方向の外側から、第一の空間５１又は第二の空間６１が設けられる領域にかけて、幅方向に延在する第二のチャネルエンボス９１が設けられていることが好ましく、第二のチャネルエンボス９１は、尿を幅方向に選択的に拡散及び誘導するために、後方向に凸となる略円弧状であることが好ましい。
【００４８】
第一のチャネルエンボス９０と第二のチャネルエンボス９１は、平面視において一部が互いに重複してもよい。また、第一のチャネルエンボス９０と第二のチャネルエンボス９１は、平面視において、第一のスリット８０及び第二のスリット８１の一部と重複してもよい。
【００４９】
（立体ギャザー）
本発明の吸収性物品１は、幅方向の両端部に立体ギャザー７０を備えることが好ましい。立体ギャザー７０を幅方向の両端部に設けることにより、幅方向からの尿や軟便の漏れを効果的に防止することができる。立体ギャザー７０としては、疎水性繊維にて形成された撥水性又は液不透過性のシート、例えば、スパンボンド不織布、メルトブロー不織布、ポリエチレンフィルムを用いることができる。また、立体ギャザー７０の坪量は、加工性及び強度の点から、１５ｇ／ｍ２以上１００ｇ／ｍ２以下であることが好ましい。
【００５０】
（伸縮弾性部材）
また、立体ギャザー７０は、自由端側及び基端側に少なくとも一本ずつの伸縮弾性部材を長手方向に沿って有することが好ましい。伸縮弾性部材を長手方向に沿って設けることで、立体ギャザー７０が起立性を有し、着用者の体型に合わせて変形可能なものとなり、フィット性が向上することで、尿や軟便の漏れを効果的に防止することができるようになる。伸縮弾性部材としては、例えば、ポリウレタン糸、帯状のポリウレタンフィルム、糸状又は帯状の天然ゴム等が使用される。
なお、立体ギャザー７０を設ける場合には、第一の開口形成シート５０及び第二の開口形成シート６０は、少なくとも立体ギャザー７０の固定端よりも幅方向内側に位置し、立体ギャザー７０の自由端は、第一の開口形成シート５０及び第二の開口形成シート６０よりも外側に位置する。
【００５１】
以上、本発明を、実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００５２】
１        吸収性物品
２０      トップシート
３０      吸収体
４０      バックシート
５０      第一の開口形成シート
５１      第一の空間
６０      第二の開口形成シート
６１      第二の空間
７０      立体ギャザー
８０      第一のスリット
８１      第二のスリット
９０      第一のチャネルエンボス
９１      第二のチャネルエンボス
ａ      前部
ｂ      股下部
ｃ      後部
【図１】
2019205549.tif 000003
【図２】
2019205549.tif 000004
【図３】
2019205549.tif 000005
【図４】
2019205549.tif 000006